(57)【特許請求の範囲】
【請求項１】
コインを収容するケーシングと、該ケーシング内に設けられたコインを水平に移動させるコイン移動フロアとコインを分別するコイン分別孔と、コインを洗浄する洗液を溜める洗液溜めと、洗液が出入りする洗液孔と、コインを投入するための開閉式投入口と、コインを取り出すための開閉蓋と、該開閉蓋と該ケーシングの間隙より洗液の漏洩を防止するシール部とからなることを特徴とするコイン分別洗浄ケース。
【請求項２】
前記コイン移動フロアは、該ケーシング内の底面に平行して配置され、底面を覆う平滑な板であることを特徴とする請求項１記載のコイン分別洗浄ケース。
【請求項３】
前記洗液溜めは、該ケーシングの底面に配置され、該コイン移動フロアに開けられた洗液孔を通じて該ケーシング内に洗液を流入させ、叉は該洗液孔を通じて該ケーシングから洗液を回収収納することを特徴とする請求項１記載のコイン分別洗浄ケース。
【請求項４】
前記コイン分別孔は、コインをコインの外径別に分別するコイン分別孔において、孔の形状が、矩形もしくは該矩形を含有する形状及び又は楕円もしくは該楕円を含有する形状であることを特徴とする請求項１記載のコイン分別洗浄ケース。
【請求項５】
前記コイン分別孔の形状である矩形及び又は楕円が、一経済圏に於て流通しうるn種の直径A1,A2,A3,．．．Ai,Ai+1．．．An[mm]を有するコイン群の直径を実長外径といい、該実長外径の大きさの序列が
A1<A2<A3<．．．<Ai<Ai+1．．．<Anであり、
各外径の両端から外径の直線方向にαmmずつあそび長さを付与した外径を実用外径a1,a2,a3,．．．ai,ai+1．．．an[mm]といい、
即ち、
a1=A1+2α
a2=A2+2α
.
.
ai=Ai+2α
ai+1=Ai+1+2α
.
.
an=An+2α
であり、
nは自然数であり、
iは１からｎまでの整数
であるとき、
あそび長さαが
0<α<0.45(Ai+1-Ai)
であり、
長辺Xとその対角線Yが
X=aiであり、  ai<Y<Ai+1
である矩形であること
及び又は長軸Xが
X=ai 
である楕円であることを特徴とする請求項４に記載のコイン分別洗浄ケース。
【請求項６】
前記コイン分別孔は、該分別孔の矩形及び又は楕円の周辺枠の一部が該コイン移動フロアに接する分別孔が、該コイン移動フロア上に該分別孔の大きさの序列に従い少なくとも一個以上設置されていて、該フロアと該分別孔の枠が分別済みコインを収納する分別収納領域を形成することを特徴とする
請求項１乃至請求項５の何れかに記載のコイン分別洗浄ケース。
【請求項７】
前記洗液は、洗浄殺菌作用を有する液体であることを特徴とする請求項１記載のコイン分別洗浄ケース。
【発明の詳細な説明】
【技術分野】
【０００１】
この発明は、コインを洗浄殺菌しながら、大小のコインを分別収納採取できるコイン分別洗浄ケースと、コインが既に清潔な状況に在る場合に大小のコインを分別収納採取できるコイン分別ケースに関する。
【背景技術】
【０００２】
従来のコインケース、即ち物品の売買支払に際し、コインを収納し計数採取する道具である財布、或はコインバッグなどには、コイン洗浄殺菌機能、及び大小コインの迅速、簡便な分別収納機能がない。
コインをその外径別に分別孔により分別することは知られている。
実公昭62-13170号公報には、コインをスロープに沿って降下させ、コイン外径よりも高さ寸法・幅寸法が僅かに大きい分別孔を小さい順にスロープに沿って設けてコインを分別する分別機が記載されている。
また、登録実用新案３００１１１０号公報には、コインをスロープに沿って降下させ、コイン分別孔の少なくとも一つの横寸法を、対応するコインの外径より小さくした分別孔を小さい順にスロープに沿って設けてコインを分別する分別機が記載されている。
【特許文献１】特開２００１-137027号公報
【非特許文献１】登録実用新案第3063409号、                  登録実用新案第3058452号                  登録実用新案第3001110号                  実公昭６２−１３１７０号公報
【発明の開示】
【発明が解決しようとする課題】
【０００３】
しかしながら、以上の技術によれば、従来のコインケースでは、流通コインの汚染が人間の指先を汚染し細菌の感染伝搬の原因となりえ、且つ大小コインの夾雑収納状態がコインの計数採取を困難にしていた。
また、コインをスロープで移動降下させ、該スロープに沿って設置された分別孔により外径別に分別するコイン分別機の機作では、コイン分別収納の領域が生ぜず、更にスロープに沿って並ぶ分別孔の配置と分別孔の形状条件では一般のコインケースの空間領域より大きくなることからコインケースに用いることが出来ない。
そこで、この発明は、コインを洗浄殺菌すると同時にコインを分別収納しコインの計数採取を容易にするコイン分別洗浄ケースと、コインが既に清潔な状況に在る場合、例えば、前記コイン分別洗浄ケースがコインの清潔を保持するに十分な程度に普及使用されている場合などに、コインの迅速簡便な分別収納計数採取機能のみを与えるコイン分別ケースを提供することを課題とする。
【課題を解決するための手段】
【０００４】
以上の課題を解決するために、本発明によれば、コインを収容するケーシングと、該ケーシング内に設けられたコインを水平に移動させるコイン移動フロアとコインを分別するコイン分別孔と、コインを洗浄する洗液を溜める洗液溜めと、洗液が出入りする洗液孔と、コインを投入するための開閉式投入口と、コインを取り出すための開閉蓋と、該開閉蓋と該ケーシングの間隙より洗液の漏洩を防止するシール部とからなることを特徴とするコイン分別洗浄ケ-スが提供される。本発明の各装備においては、
１，前記コイン移動フロアは、該ケーシング内の底面に平行して配置され、底面を覆う平滑な板であることを特徴とするコイン分別洗浄ケースである。
２，前記洗液溜めは、該ケーシングの底面に配置され、該コイン移動フロアに開けられた洗液孔を通じて該ケーシング内に洗液を流入させ、或は該洗液孔を通じて該ケーシングから洗液を回収収納することを特徴とするコイン分別洗浄ケースである。
３，前記コイン分別孔は、コインをコインの外径別に分別するコイン分別孔において、孔の形状が、矩形もしくは該矩形を含有する形状及び又は楕円もしくは該楕円を含有する形状であることを特徴とするコイン分別洗浄ケース。
4,前記コイン分別孔の形状である矩形及び又は楕円が、一経済圏に於て流通しうるn種の直径A1,A2,A3,．．．Ai,Ai+1．．．An[mm]を有するコイン群の直径を実長外径といい、該実長外径の大きさの序列が
A1<A2<A3<．．．<Ai<Ai+1．．．<Anであり、
各外径の両端から外径の直線方向にαmmずつあそび長さを付与した外径を実用外径a1,a2,a3,．．．ai,ai+1．．．an[mm]といい、
即ち、
a1=A1+2α
a2=A2+2α
.
.
ai=Ai+2α
ai+1=Ai+1+2α
.
.
an=An+2α
であり、
nは自然数であり、
iは１からｎまでの整数
であるとき、
あそび長さαが
0<α<0.45(Ai+1-Ai)
であり、
長辺Xとその対角線Yが
X=aiであり、  ai<Y<Ai+1
である矩形であること
及び又は長軸Xが
X=ai 
である楕円であることを特徴とするコイン分別洗浄ケース。
５，前記コイン分別孔は、該分別孔の矩形及び又は楕円の周辺枠の一部が該コイン移動フロアに接する分別孔が、該コイン移動フロア上に該分別孔の大きさの序列に従い少なくとも一個以上設置されていて、該フロアと該分別孔の枠が分別済みコインを収納する分別収納領域を形成することを特徴とするコイン分別洗浄ケースである。
6, 前記洗液は、洗浄殺菌作用を有する液体であることを特徴とするコイン分別洗浄ケースである。
【発明の効果】
【０００５】
本発明によれば、コインの分別収納により、特に、消費税発生後の1円アルミ貨幣の増加により生じたコインの計数採取の困難が解消され、同時に流通コインの汚染が防止されることから,それに触れる人間の指先の清潔が保持され、その清潔とコインの清潔さが社会全般に伝搬し、人体及び環境の衛生に寄与する効果大をもたらす。
人から人にきれいを伝えるのは、あなたの指先、あなたのコイン。などの新たな清潔マナーの発生を促す。
【発明を実施するための最良の形態】
【０００６】
この発明の一実施形態を、図１に示す。
ケーシングの本体は手のひらに収まる直方体であり、該ケーシング内に上部と下部の2段のコイン分別孔４，３が該ケーシングの長軸方向に直角に設置されており、開閉式コイン投入口９から投入された大、中、小のコイン群は、重力と水平方向の手による振動によりコイン移動フロア10上を該フロアに平行に移動し、上部分別孔４にコインエッジが接触すると、大コインの閉塞滞留と、中、小コインの挿入通過がなされ分別が生じる。更に通過コインは下部分別孔３に到り、中コインが留まり、小コインが通過して、大、中、小のコインが分別される。同時に該ケーシング頭部６とケーシング底面に設置された洗液溜め７から洗液がコイン移動フロア10に開けられた洗液孔８を通りケーシング内に流入し、移動中のコインに触れてコインを洗浄する。該洗液は開閉蓋２と該ケーシングの間隙に位置するシール部５によりシールされ、外部に漏洩せず、ケーシング本体を水平にすることにより、洗液孔8を通り洗液溜め7に回収される。ケーシング内のコインの分別洗浄状態は透明な開閉蓋２を通して観察され、洗液が回収された水平状態で該透明開閉蓋２が開けられ、分別洗浄殺菌されたコインが計数採取される。
該洗液には30%エタノール水溶液を洗液溜め容量の約90%程度の容量で用いる。  
【０００７】
「実施形態の効果」
この実施形態によれば、コイン分別孔の断面は矩形であり、その長辺Xがiコインの実用外径aiであり、その対角線Yが  ai<Y<Ai+1で、iコインの実用外径aiよりおおきく、iコインの次に大きいi+1コインの実長外径Ai+1より小さいことにより、該分別孔はi以下のコインとi+1以上のコインを分別する。即ちi以下のコインを通過させ、i+1以上のコインを留める。
日本国内で流通する各種コインの実長外径と実用外径の実施範囲と実施例と、コイン分別孔の諸寸法の実施範囲と実施例を図２の表１に示す。但し、コインが分別孔を通過しやすくするあそび長さαをα＝0.2(Ai+1-Ai)とした。
日本でのコイン実長外径の序列は1円＜50円＜5円＜100円＜10円＜500円である。
図１の上部分別孔４は図２の表１の分別孔No.4の矩形分別孔で500円と10円のコインを留め、100円,5円,50円,及び１円のコインを通過させることができる。
更に、下部分別孔３は、図２の表１の分別孔No.2の矩形分別孔で100円及び5円のコインを留め、50円及び1円のコインを通過させることができる。
この結果、該六種のコイン群を三区分に分別収納することができる。
図１のごとく、該ケーシングを縦に操作(1がケーシング下部、６がケーシング上部に成るように)するコイン分別操作が同時に、コイン洗液とコインの接触及び移動を促進させ、叉、該ケーシングを水平にし(１と６を同等の高さか、１を６より僅かに高める)、該開閉蓋２を開けコインを計数採取する操作が同時に、洗液の洗液溜め７への回収収納の操作になることにより、
殺菌洗浄されたコインの計数採取が実質的に簡便に達成され繰り返される。
【０００８】
「他の実施形態」
図１の実施形態では、図２．表１のNo.2及びNo.4の矩形分別孔を一個ずつ２段にしてコインを分別したが、他の実施形態では、特にコインを多量に分別処理する場合には、図３に示すように、一種類の矩形分別孔を数個連結して分別孔面積を広げ、該分別孔とコインの接触機会を高めるようにケーシング内へ分別孔を設置したもの、或は楕円分別孔を単独乃至数個連結したもの、或は矩形分別孔の該矩形を含む形状、例えば該矩形を内接する円形孔(図６)、該矩形の４頂点を共有する円弧面(図７)を分別孔とするものなど該矩形を含み該矩形と同様のコイン分別機能を発揮するすべての形状のもの、或は矩形分別孔の矩形の長辺及び短辺につき両者の長さが図８、図９及び図１０に示すごとく自在にその長短の調節が可能になる板により該分別孔の矩形が形成される（以後この矩形孔を自在矩形孔と呼ぶ）ものでも良い。
更に、図１の実施形態では、ケーシングについて、その形状が直方体であるが、他の実施形態では、例えば図３に示すごとく、図２、表１のNo.2矩形分別孔を連結配置した様に、分別孔の配置の仕方に応じたケーシングの形態を取りうる他に、本発明のコインの分別収納機能或は洗浄機能を損なわない範囲に於て、意匠デザイン、ハンドリング、携帯性、及び堅牢性を配慮したどのような形態及び材質のものでも良い。
図１の実施形態では、洗液について、該洗液には３０％エタノール水溶液が洗液溜めの容量の約90%の容量で用いられたが、他の実施形態では、エタノール原液、エタノール100ml中に塩化ベンザルコニウムを0.1g含有する塩化ベンザルコニウムエタノール溶液、カチオン系あるいは両性界面活性剤の0.02%〜0.5%液、ヨウ素を25〜100ppm含有するヨウ素系液体、あるいはカテキン水溶液などコイン及び人間の指先に対し殺菌洗浄作用があり、洗液溜めに収納して流動性を発揮する液体であればどのようなものでも良い。
更に、コインが以上の様な洗浄殺菌液で既に洗浄されているような、清潔な状況に在る場合は、該コイン分別洗浄ケースから洗浄装備を除いた、図１１に示すような本発明のコインの分別収納機能のみを有するコイン分別ケースであってもよい。
【図面の簡単な説明】
【０００９】
【図１】この発明の一実施形態を示す斜視図である。
【図２】この発明の一実施形態を示す日本国内に流通しているコイン群とコイン分別孔の形状寸法と該形状寸法の実施範囲及び実施例を示す表１である。
【図３】この発明の一実施形態を示す斜視図である。
【図４】この発明の一実施形態を示す米国内に流通しているコイン群とコイン分別孔の形状寸法と該形状寸法の実施範囲及び実施例を示す表2である。
【図５】この発明の一実施形態を示すEU域内に流通しているユーロコイン群とコイン分別孔の形状寸法と該形状寸法の実施範囲及び実施例を示す表3である。
【図６】この発明の矩形分別孔の矩形を内接により含有する円形の分別孔の図である。
【図７】この発明の矩形分別孔の矩形の４頂点を共有することにより矩形を含有する円弧面の分別孔の図である。
【図８】この発明の自在矩形分別孔の正面図である。
【図９】この発明の自在矩形分別孔の平面図である。
【図１０】この発明の自在矩形分別孔の右側面図である。
【図１１】この発明のコイン分別ケースである。
【符号の説明】
【００１０】
（図１）１  ケーシング底部            ２  コイン取出透明開閉蓋  
３  下部コイン分別孔（図２表１N0.2矩形分別孔）  ４  上部コイン分別孔（図２表１N0.4矩形分別孔）  ５  洗液漏洩防止シール  ６  ケーシング上部  ７  洗液溜め  ８  洗液孔    ９  開閉式コイン投入口    10 コイン移動フロア
（図３）１  洗液溜め            ２  外部ケーシング円周部
３  洗液孔  ４  コイン分別孔（図２表１N0.2矩形分別孔）  ５  開閉蓋の回転固定軸  ６  洗液漏洩防止シール  ７  コイン取出透明開閉蓋  ８  内部ケーシング  
９  50円硬貨  １０  1円硬貨    １１  500円硬貨  １２  100円硬貨
１３  5円硬貨    １４  10円硬貨  １５  開閉式コイン投入口  16 コイン移動フロア
（図６）１  本発明の矩形分別孔の矩形を含有する円形分別孔        ２  本発明の矩形分別孔の矩形
（図７）１  本発明の矩形分別孔の矩形を含有する円弧形分別孔        ２  本発明の矩形分別孔の矩形
（図８）１  本発明の自在矩形分別孔の矩形の長辺を形成する固定板    ２  本発明の自在矩形分別孔の矩形の短辺を形成する移動板    ３  自在矩形孔の短辺の移動板２を左右させて長辺の長さを調節するビス    ４  自在矩形孔の長辺を形成する板のガイド(右)  ５  自在矩形孔の長辺の移動板を上下させて短辺の長さを調節するビス      ６  自在矩形孔の長辺の板を上下させるビスのガイド        ７  自在矩形孔の長辺を形成する板のガイド(左)    ８  自在矩形孔の長辺の固定板を固定する枠      ９  本発明の自在矩形分別孔の矩形の短辺を形成する固定板      １０  本発明の自在矩形分別孔の矩形の長辺を形成する移動板    １００  本発明の自在矩形孔
（図９）  １１    自在矩形の短辺を形成する板のガイドの、長辺の長さを計測するための透明部分
（図１０）  １２    自在矩形孔の短辺の板を左右させるビスのガイド  
１３  自在矩形の長辺を形成する板の、短辺の長さを計測するためのガイドの透明部分
（図１１）１  ケーシング底部            ２  コイン取出透明開閉蓋  
３  下部コイン分別孔（図２表１N0.2矩形分別孔）  ４  上部コイン分別孔（図２表１N0.4矩形分別孔）  ５    開閉式コイン投入口      ６  ケーシング上部      ７  コイン移動フロア
【要約】
【課題】従来のコインケース、即ち財布やコインバッグなどには、コイン洗浄殺菌機能、及び大小コインの分別収納機能がなく、流通コインの汚染が人間の指先を汚染し細菌の感染伝搬の原因となりえ、且つ大小コインの夾雑収納状態がコインの計数採取を困難にしていた。
【解決手段】コインを収納するケーシングと該ケーシング内にコインを水平に移動させるコイン移動フロアとコイン分別孔を設け、更に洗液溜めを設け洗液を収納し、洗液孔を通して洗液をコイン間隙に流通させ、コイン分別孔の多段或いは連結した矩形孔及び又は楕円孔により、コインを分別収納させると同時にコインの洗浄殺菌を達成し、コインの計数採取を容易にする。
【選択図】図１
【図１】
0003595880.tif 000002
【図２】
0003595880.tif 000003
【図３】
0003595880.tif 000004
【図４】
0003595880.tif 000005
【図５】
0003595880.tif 000006
【図６】
0003595880.tif 000007
【図７】
0003595880.tif 000008
【図８】
0003595880.tif 000009
【図９】
0003595880.tif 000010
【図１０】
0003595880.tif 000011
【図１１】
0003595880.tif 000012